(57)【要約】      （修正有）【課題】噴出する水道水の勢いを弱めてフィルタに加わる衝撃を緩和し、フィルターを保護し、さらにフィルタの交換を容易にして確実に切り屑を除去した屑除去排水装置を提供する。【解決手段】取っ手１４と補修口蓋１８とを備えた容器１２の側壁を貫通するように、整流装置２２と流出処理装置２４とが固定される。整流装置２２は、水道管を穿孔するときに発生した切り屑を含む水道水を流入させる流入ホース１６と、流入ホース１６から流入した水道水の流れに垂直で水道水を衝突させて水圧を弱める衝突壁３４と、容器１２の内部に水道水を送り出す開口３６とを設けた緩衝筒３２と、緩衝筒３２との間に一定量の空間を空けて緩衝筒３２を包囲するように配置されたフィルタ袋３９とを備える。流出処理装置２４は、フィルタ袋３９により切り屑が除去された水道水を容器１２の外部に流出させる。【選択図】図１
0003186254.tif 000002
【実用新案登録請求の範囲】
【請求項１】
取っ手と補修口蓋とを備えた容器の側壁を貫通するように、整流装置と流出処理装置とが固定されたものであって、
上記整流装置は、
水道管を穿孔するときに発生した切り屑を含む、水道管から噴出した水道水を流入させる流入ホースと、上記流入ホースから流入した水道水の流れに垂直で水道水を衝突させて水圧を弱める衝突壁と、容器の内部に水道水を送り出す開口とを設けた緩衝筒と、緩衝筒との間に一定量の空間を空けて緩衝筒を包囲するように配置されたフィルタ袋とを備え、
上記流出処理装置は、
上記フィルタ袋により上記切り屑が除去されて、上記容器の内部で整流化された水道水を流出窓を通じて容器の外部に流出させる流出口を備えたことを特徴とする水道水中の切り屑除去排水装置。
【請求項２】
請求項１に記載の水道水中の切り屑除去排水装置において、
整流装置は補修口蓋の直下の容器の底に近い部分に配置され、補修口蓋を取り去ると、は整流装置に装着したフィルタ袋の手作業による交換作業を許容する作業口が開くことを特徴とする水道水中の切り屑除去排水装置。
【請求項３】
請求項１または２に記載の水道水中の切り屑除去排水装置において、
整流装置は、流入ホースを接続するホース連結部とホース連結部に直線的に接続された筒状の緩衝筒とを備え、緩衝筒のホース連結部と対向する面に衝突壁が設けられ、緩衝筒の側壁に、流入する全ての水道水をそのまま送り出すのに十分な総面積の開口が設けられ、フィルタ袋は緩衝筒を包囲し、緩衝筒の開口を塞ぐことなく空間を空けて容器の壁に接触せずに緩衝筒を包囲する柔軟な網状の袋により構成されていることを特徴とする水道水中の切り屑除去排水装置。
【請求項４】
請求項１乃至３のいずれかに記載の水道水中の切り屑除去排水装置において、
整流装置は、容器の内部で流出処理装置に向かって流れる水道水の流れの方向と交差する方向に水道水を流入させ、整流装置から容器の内部に送り出された水道水は容器の側壁に衝突してさらに勢いを弱められて整流化されてから上記流出処理装置に向かうように、整流装置と流出処理装置とが配置されていることを特徴とする水道水中の切り屑除去排水装置。
【請求項５】
請求項１乃至４のいずれかに記載の水道水中の切り屑除去排水装置において、
流出処理装置には、流出窓から流出口を通じて排出される水道水中の磁性体を吸着するマグネットが内装されていることを特徴とする水道水中の切り屑除去排水装置。
【考案の詳細な説明】
【技術分野】
【０００１】
本考案は、断水をさせずに水道管の穿孔工事をしたとき、水道管から噴出する水道水に混入した穿孔切り屑を除去して安全に排水をする、水道水中の切り屑除去排水装置に関する。
【背景技術】
【０００２】
断水をさせずに水道管の穿孔をして分岐管や接栓を接続するといった工事が行われることがある。このときの穿孔工事により発生する切り屑は、水道管の孔から噴出する水道水とともに外部に流れ出る。水道管から噴出する水道水は、例えば、道路の側溝等に排出されるが、穿孔により発生した切り屑をそのまま排出すると環境を汚染するおそれがある。そこで、これらの切り屑を回収する装置が開発されている。
【先行技術文献】
【特許文献】
【０００３】
【特許文献１】特開２００３−２５１５１１号公報
【特許文献２】特開２０１３−９９８２７号公報
【考案の概要】
【考案が解決しようとする課題】
【０００４】
既知の従来の技術には、次のような解決すべき課題があった。
水道管から噴出する水道水は非常に水圧が高く勢いがある。従って、切り屑を除去するためのフイルタは金網のような強度の高いものが要求される。しかも、水道水が勢いよくフィルタに衝突するので、切り屑がフィルタの網目に食い込む。そのため、目詰まりが激しく、フイルタを高頻度で清掃しなければならない。また、フイルタが水圧で破損し易く、網目の破損した部分から切り屑が流れ出すという問題もあった。
上記の課題を解決するために、本考案は次のような水道水中の切り屑除去排水装置を提供することを目的とする。
（１）噴出する水道水の勢いを弱めてフィルタに加わる衝撃を緩和する。
（２）フィルタの交換を容易にすることで、確実に切り屑を除去する。
【課題を解決するための手段】
【０００５】
以下の構成はそれぞれ上記の課題を解決するための手段である。
【０００６】
＜構成１＞
取っ手と補修口蓋とを備えた容器の側壁を貫通するように、整流装置と流出処理装置とが固定されたものであって、
上記整流装置は、
水道管を穿孔するときに発生した切り屑を含む、水道管から噴出した水道水を流入させる流入ホースと、上記流入ホースから流入した水道水の流れに垂直で水道水を衝突させて水圧を弱める衝突壁と、容器の内部に水道水を送り出す開口とを設けた緩衝筒と、緩衝筒との間に一定量の空間を空けて緩衝筒を包囲するように配置されたフィルタ袋とを備え、
上記流出処理装置は、
上記フィルタ袋により上記切り屑が除去されて、上記容器の内部で整流化された水道水を流出窓を通じて容器の外部に流出させる流出口を備えたことを特徴とする水道水中の切り屑除去排水装置。
【０００７】
＜構成２＞
構成１に記載の水道水中の切り屑除去排水装置において、
整流装置は補修口蓋の直下の容器の底に近い部分に配置され、補修口蓋を取り去ると、は整流装置に装着したフィルタ袋の手作業による交換作業を許容する作業口が開くことを特徴とする水道水中の切り屑除去排水装置。
【０００８】
＜構成３＞
構成１または２に記載の水道水中の切り屑除去排水装置において、
整流装置は、流入ホースを接続するホース連結部とホース連結部に直線的に接続された筒状の緩衝筒とを備え、緩衝筒のホース連結部と対向する面に衝突壁が設けられ、緩衝筒の側壁に、流入する全ての水道水をそのまま送り出すのに十分な総面積の開口が設けられ、フィルタ袋は緩衝筒を包囲し、緩衝筒の開口を塞ぐことなく空間を空けて容器の壁に接触せずに緩衝筒を包囲する柔軟な網状の袋により構成されていることを特徴とする水道水中の切り屑除去排水装置。
【０００９】
＜構成４＞
構成１乃至３のいずれかに記載の水道水中の切り屑除去排水装置において、
整流装置は、容器の内部で流出処理装置に向かって流れる水道水の流れの方向と交差する方向に水道水を流入させ、整流装置から容器の内部に送り出された水道水は容器の側壁に衝突してさらに勢いを弱められて整流化されてから上記流出処理装置に向かうように、整流装置と流出処理装置とが配置されていることを特徴とする水道水中の切り屑除去排水装置。
【００１０】
＜構成５＞
構成１乃至４のいずれかに記載の水道水中の切り屑除去排水装置において、
流出処理装置には、流出窓から流出口を通じて排出される水道水中の磁性体を吸着するマグネットが内装されていることを特徴とする水道水中の切り屑除去排水装置。
【考案の効果】
【００１１】
＜構成１の効果＞
流入した水道水を緩衝筒の衝突壁に衝突させて勢いを弱め、開口から送り出された水道水を一定の空間を経てフィルタ袋に向かわせるので、フィルタ袋に加わる衝撃や負荷が少なく、広フィルタの有効面積も十分に広くすることができる。
＜構成２の効果＞
補修口蓋を取り去って、手作業により簡単にフィルタ袋を交換できるので、フィルタを頻繁に交換して、損傷による切り屑の除去漏れを防止できる。
＜構成３の効果＞
緩衝筒中で衝突壁により水道水の勢いが止められ、開口を通じて抵抗なく緩衝筒の外部に流れ出る。さらに、十分な空間を経て柔軟な袋状のフィルタ袋により切り屑が除去されるので、水道水の勢いでフィルタ袋が破損することがなく、切り屑を確実に除去できる。
＜構成４の効果＞
流入した水道水の流れが直接流出処理装置に向かわずに、容器の側壁に衝突してさらに勢いを弱められるので、フィルタ袋に加わる衝撃が緩和されて、フィルタ袋の破損が防止できる。
＜構成５の効果＞
万一フィルタ袋の一部が破損した場合や、排水中にフィルタ袋で除去できない微細な磁性体粉が含まれていた場合に、マグネットにより除去することができる。
【図面の簡単な説明】
【００１２】
【図１】水道水中の切り屑除去排水装置１０の全体図で、（ａ）は上方から見た斜視図、（ｂ）は側面図、（ｄ）は底面図ある。
【図２】（ａ）は整流装置２２の主要部斜視図、（ｂ）は主要部縦断面図、（ｃ）はその全体図と作用の説明図である。
【図３】（ａ）は流出処理装置２４の側面図、（ｂ）は流出処理装置２４の縦断面図、（ｃ）はその作用説明図である。
【図４】実際の水道管工事での装置の使用方法を示す説明図である。
【考案を実施するための形態】
【００１３】
以下、本考案の実施の形態を実施例毎に詳細に説明する。
【実施例１】
【００１４】
図１は水道水中の切り屑除去排水装置１０の全体図で、（ａ）は上方から見た斜視図、（ｂ）は側面図、（ｄ）は底面図ある。図２（ａ）は整流装置２２の主要部斜視図、（ｂ）は主要部縦断面図、（ｃ）はその全体図と作用の説明図である。図３（ａ）は流出処理装置２４の側面図、（ｂ）は流出処理装置２４の縦断面図、（ｃ）はその作用説明図である。
【００１５】
この装置は、例えば、水の運搬等に使用されるポリタンクを、容器１２として使用している。従って、持ち運びに便利で軽量である。容器１２は、取っ手１４と補修口蓋１８と排出口蓋２０とを備えている。この装置では、補修口蓋１８を開けて、後で説明するフィルタ袋３９の交換作業をする。
【００１６】
排出口蓋２０は容器１２の内部に残留した水を装置の使用後に外に出すために使用される。この容器１２の側壁を貫通するように、整流装置２２と流出処理装置２４とが固定されている。整流装置２２は容器１２の底に近い部分に配置され、流出処理装置２４は容器のできるだけ上部に配置される。図１（ｂ）や（ｃ）に、これらの取り付け状態を示した。図２を参照して整流装置２２の構造を説明する。
【００１７】
整流装置２２は、流入ホース１６を接続するホース連結部２８と、ホース連結部２８に直線的に接続された筒状の緩衝筒３２とを備える。容器１２の壁には、固定ナット３８を使用して固定する。緩衝筒３２のホース連結部２８と対向する面には、衝突壁３４が設けられている。また、緩衝筒３２の側面全体に、緩衝筒３２から容器１２の内部に水道水を送り出すための開口３６が設けられている。
【００１８】
穿孔工事で水道管の孔から噴出した水道水が、流入ホース１６を通じて緩衝筒３２に流入する。水道水には、水道管を穿孔するときに発生した切り屑３７が含まれている。衝突壁３４は、図２（ｃ）に示すように、流入ホース１６から流入した水道水の流れに垂直で水道水を衝突させて水圧を弱める機能を持つ。
【００１９】
衝突壁３４に衝突した水道水がもと来た方向に跳ね返り、続いて流入する水道水と衝突して勢いが弱められる。ホース連結部２８や固定ナット３８には、例えば、既存の水道管接続工事等に使用する金属部品を使用する。また、緩衝筒３２には、既存の硬質塩ビ製の水道管等を使用するとよい。
【００２０】
緩衝筒３２の開口３６は、流入する全ての水道水を緩衝筒３２から容器１２の内部にそのまま送り出すのに十分な総面積を有することが好ましい。流入する水道水を抵抗なく通過させるためである。この緩衝筒３２を包囲するように、フィルタ袋３９が設けられている。
【００２１】
フィルタ袋３９は例えば、一般のキッチンの排水溝にセットされる細かい網目を有する不織布製の袋状のものにより構成されるとよい。フィルタ袋３９はホース連結部２８と緩衝筒３２のつなぎ目付近にバンド３３を使用して固定される。隙間なく、かつ、簡単にフィルタ袋３９を着脱できるような固定が好ましい。
【００２２】
フィルタ袋３９は、緩衝筒３２との間に一定量の空間を空けて緩衝筒３２を包囲するように配置されている。フィルタ袋３９は、緩衝筒３２の開口を塞ぐことなく、緩衝筒３２との間に空間を空けて、かつ、容器１２の壁に接触せずに取り付けられることが好ましい。また、フィルタ袋３９は、柔軟な網状の袋により構成されていることが好ましい。
【００２３】
図２（ｃ）に示すように、緩衝筒３２の開口３６から流れ出た水道水は、始めに容器１２を流出処理装置２４の高さまで満たす。その状態で緩衝筒３２の開口３６から流れ出た水道水は、フィルタ袋３９を風船状に押し広げる。これにより、緩衝筒３２との間に空間が形成される。フィルタ袋３９がいっぱいに風船のように広がる。この状態で、水道水はフィルタ袋３９全体を通り抜けて容器１２の中に流れ込む。そして、水道水に混入した切り屑３７はフィルタ袋３９の網目によってフィルタ袋３９の内部に捕捉される。
【００２４】
フィルタ袋３９がいっぱいに膨らんでフィルタ袋３９の全面がフィルタとして機能するので、一部に切り屑３７が集中して目詰まりをおこすようなことがない。このとき、フィルタ袋３９の全面を有効に利用するために、フィルタ袋３９は、容器１２の壁にも接触しないように取り付けられることが好ましい。さらに、緩衝筒３２との間に空間が形成されているので、緩衝筒３２から流れ出た水道水の勢いが十分に低下し、流れが分散した後にフィルタ袋３９にぶつかるから、フィルタ袋３９に加わる衝撃がさらに緩和される。
【００２５】
また、整流装置２２は、図１（ｃ）に示すように、補修口蓋１８の直下の容器１２の底に近い部分に配置されている。補修口蓋１８を取り去ると、フィルタ袋３９の手作業による交換作業を許容する大きさの作業口が開く。実験によれば、３カ所くらいの水道管穿孔工事でフィルタ袋３９を交換すると、切り屑を効果的に除去できることかわかった。
【００２６】
次に、図３を用いて流出処理装置２４の説明をする。流出処理装置２４は、整流装置２２を通じて容器１２に流入した水道水を容器１２の外部に排出するためのものである。この実施例では、整流装置２２に比較して十分に口径の大きな硬質塩ビパイプを使用した。これは固定ナット３０により容器１２の側壁に固定される。
【００２７】
整流装置２２て勢いを止められてゆっくりと水面を押し上げてきた水道水は、流出口２６の高さに達すると、図３（ｃ）に示すように、流出処理装置２４の側面に設けられた流出窓４４を通じて流出口２６を経て容器１２の外部に排出される。この水道水は、図２に示したフィルタ袋３９により切り屑３７が除去されて、容器１２の内部で整流化されている。
【００２８】
フィルタ袋３９の網目や材質を適切に選択すれば、目的とする切り屑等は全て除去されている。水道水のみを取り扱うのでその他の汚れ成分はほぼ無いとしてよいが、万一フィルタ袋３９の一部に破れがあったような場合等を考慮して、流出処理装置２４にはマグネット収納部４２を設けた。図３（ｂ）に示すように、マグネット収納部４２に、マグネット４０を嵌め込むようにして、水道水から磁性体粉を吸着して取り除く。
【００２９】
容器１２の内部の水が整流化されていると、万一大きな切り屑がフィルタ袋３９を抜けても、切り屑は容器１２の底に沈んで、流出処理装置２４まで上がってくることかない。流出処理装置２４中に配置したマグネット４０は、微小な磁性体粉を吸着して除去するので、これで十分である。なお、マグネット４０は例えば、フラスチックの袋や容器に入れておけば、吸着した磁性体粉を簡単に取り除くことができて、保守も容易である。マグネット４０の着脱作業も、補修口蓋１８（図１）を開いて手作業でできる。
【００３０】
図４は、実際の水道管工事での装置の使用方法を示す説明図である。
図のように、水道管４８にドリル５０と穿孔装置５２を使用して工事を行う場合に、側溝５４の縁に切り屑除去排水装置１０を配置する。取っ手１４を持って運ぶので非常に手軽に取り扱える。そして、穿孔装置５２と切り屑除去排水装置１０とを流入ホース１６で接続する。
【００３１】
穿孔装置５２中で噴出した水道水は、流入ホース１６を通過する間に少し勢いを弱められる。従って、この流入ホース１６も役に立つ。穿孔装置５２の内部にフィルタを取り付けて処理をする場合に比べると、穿孔装置５２から流入ホース１６を経て流入する水道水をフイルタで処理するほうが圧倒的にフイルタに加わる衝撃を軽減できる。
【００３２】
切り屑除去排水装置１０中に流入した水道水は、既に説明したとおりの要領で勢いが十分に弱められてから、切り屑が除去される。その後、水道水は流出口２６から側溝５４中に排出される。数回穿孔工事を行った後は、補修口蓋１８を開いてフィルタ袋３９を交換する。マグネット４０の清掃を同時にしても構わない。これらの作業はきわめて簡単で、ただちに装置の性能を最善の状態に戻すことができる。工事が終了すると、切り屑除去排水装置１０の容器に残った水道水を側溝５４に流して簡単に撤収することができる。
【実施例２】
【００３３】
図１に示した装置は、整流効果を高めるために、整流装置２２と流出処理装置２４の配置と向きにも工夫をしている。図１に示すように、整流装置２２は、容器１２の内部で流出処理装置２４に向かって流れる水道水の流れの方向と交差する方向に向いている。この方向に水道水を流入させ、整流装置２２から容器１２の内部に送り出された水道水は容器１２の整流装置２２の側壁に衝突して、さらに勢いを弱められる。こうして整流化されてから上流出処理装置２４に向かうので、流出口２６から水道水が噴出するようなことがなく、静かに水道水を排出できる。
【００３４】
また、整流装置２２の３方に容器１２の壁が迫っているので、開口３６から流入した水道水が３方の壁に衝突して勢いを弱められ、フィルタ袋３９に加わる衝撃が緩和されて、フィルタ袋３９の破損が防止できる。
【符号の説明】
【００３５】
１０  水道水中の切り屑除去排水装置
１２  容器
１４  取っ手
１６  流入ホース
１８  補修口蓋
２０  排出口蓋
２２  整流装置
２４  流出処理装置
２６  流出口
２８  ホース連結部
３０  固定ナット
３２  緩衝筒
３３  バンド
３４  衝突壁
３６  開口
３７  切り屑
３８  固定ナット
３９  フィルタ袋
４０  マグネット
４２  マグネット収納部
４４  流出窓
４６  地面
４８  水道管
５０  ドリル
５２  穿孔装置
５４  側溝
【図１】
0003186254.tif 000003
【図２】
0003186254.tif 000004
【図３】
0003186254.tif 000005
【図４】
0003186254.tif 000006
【手続補正書】
【提出日】平成25年7月22日(2013.7.22)
【手続補正１】
【補正対象書類名】実用新案登録請求の範囲
【補正対象項目名】全文
【補正方法】変更
【補正の内容】
【実用新案登録請求の範囲】
【請求項１】
取っ手と補修口蓋とを備えた容器の側壁を貫通するように、整流装置と流出処理装置とが固定されたものであって、
上記整流装置は、
水道管を穿孔するときに発生した切り屑を含む、水道管から噴出した水道水を流入させる流入ホースと、上記流入ホースから流入した水道水の流れに垂直で水道水を衝突させて水圧を弱める衝突壁と、容器の内部に水道水を送り出す開口とを設けた緩衝筒と、緩衝筒との間に一定量の空間を空けて緩衝筒を包囲するように配置されたフィルタ袋とを備え、
上記流出処理装置は、
上記フィルタ袋により上記切り屑が除去されて、上記容器の内部で整流化された水道水を流出窓を通じて容器の外部に流出させる流出口を備えたことを特徴とする水道水中の切り屑除去排水装置。
【請求項２】
請求項１に記載の水道水中の切り屑除去排水装置において、
整流装置は補修口蓋の直下の容器の底に近い部分に配置され、補修口蓋を取り去ると、整流装置に装着したフィルタ袋の手作業による交換作業を許容する作業口が開くことを特徴とする水道水中の切り屑除去排水装置。
【請求項３】
請求項１または２に記載の水道水中の切り屑除去排水装置において、
整流装置は、流入ホースを接続するホース連結部とホース連結部に直線的に接続された筒状の緩衝筒とを備え、緩衝筒のホース連結部と対向する面に衝突壁が設けられ、緩衝筒の側壁に、流入する全ての水道水をそのまま送り出すのに十分な総面積の開口が設けられ、フィルタ袋は緩衝筒を包囲し、緩衝筒の開口を塞ぐことなく空間を空けて容器の壁に接触せずに緩衝筒を包囲する柔軟な網状の袋により構成されていることを特徴とする水道水中の切り屑除去排水装置。
【請求項４】
請求項１乃至３のいずれかに記載の水道水中の切り屑除去排水装置において、
整流装置は、容器の内部で流出処理装置に向かって流れる水道水の流れの方向と交差する方向に水道水を流入させ、整流装置から容器の内部に送り出された水道水は容器の側壁に衝突してさらに勢いを弱められて整流化されてから上記流出処理装置に向かうように、整流装置と流出処理装置とが配置されていることを特徴とする水道水中の切り屑除去排水装置。
【請求項５】
請求項１乃至４のいずれかに記載の水道水中の切り屑除去排水装置において、
流出処理装置には、流出窓から流出口を通じて排出される水道水中の磁性体を吸着するマグネットが内装されていることを特徴とする水道水中の切り屑除去排水装置。